【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
燃料を貯蔵するための燃料ユニットと、該燃料ユニットから燃料を供給されて少なくとも一つ以上の発電セルによって発電する発電ユニットとから成り、それぞれが独立した前記燃料ユニットと前記発電ユニットから構成される燃料電池で駆動する電子機器において、前記燃料ユニットと前記発電ユニットを共に収納する燃料電池収納部と、前記発電ユニットの出力特性を判別する発電ユニット判別手段とを備えることを特徴とする電子機器。
【請求項２】
前記燃料電池収納部は、それぞれ複数用意される前記燃料ユニットと前記発電ユニットの複数の組み合わせにおいて収納することが可能であることを特徴とする請求項１に記載の電子機器。
【請求項３】
前記電子機器は、更に、前記発電ユニット判別手段の判別結果に応じて前記電子機器の動作を変更する動作変更手段を有することを特徴とする請求項１に記載の電子機器。
【請求項４】
前記発電ユニット判別手段で判別する前記出力特性とは、前記発電ユニットの電圧、電流または内部抵抗の少なくとも一つであることを特徴とする請求項１に記載の電子機器。
【請求項５】
燃料を貯蔵するための燃料ユニットと、該燃料ユニットから燃料を供給されて少なくとも一つ以上の発電セルによって発電する発電ユニットとから成り、それぞれが独立した前記燃料ユニットと前記発電ユニットから構成される燃料電池で駆動するカメラにおいて、前記燃料ユニットと前記発電ユニットを共に収納する燃料電池収納部と、前記発電ユニットの出力特性を判別する発電ユニット判別手段とを備えることを特徴とするカメラ。
【請求項６】
前記燃料電池収納部は、それぞれ複数用意される前記燃料ユニットと前記発電ユニットの複数の組み合わせにおいて収納することが可能であることを特徴とする請求項５に記載のカメラ。
【請求項７】
前記カメラは、更に、前記発電ユニット判別手段の判別結果に応じて前記カメラの動作を変更する動作変更手段を有することを特徴とする請求項５に記載のカメラ。
【請求項８】
前記発電ユニット判別手段で判別する出力特性とは、前記発電ユニットの電圧、電流、または内部抵抗の少なくとも一つであることを特徴とする請求項５に記載のカメラ。
【請求項９】
前記動作変更手段は、前記発電ユニット判別手段によって判別された前記発電ユニットの電圧が所定の値以上であるときに、連写速度を高速にすることを特徴とする請求項７に記載のカメラ。
【請求項１０】
前記動作変更手段は前記発電ユニット判別手段によって判別された前記発電ユニットの電圧が所定値未満であるときに、省電力モードにすることを特徴とする請求項７に記載のカメラ。
【請求項１１】
前記燃料電池収納部は、カメラの光軸より下方に配置される縦位置用グリップ内部に設けたことを特徴とする請求項５乃至１０に記載のカメラ。
【手続補正２】
【補正対象書類名】明細書
【補正対象項目名】００１４
【補正方法】変更
【補正の内容】
【００１４】
また、請求項５に記載のカメラによれば、燃料を貯蔵するための燃料ユニットと、該燃料ユニットから燃料を供給されて少なくとも一つ以上の発電セルによって発電する発電ユニットとから成り、それぞれが独立した前記燃料ユニットと前記発電ユニットから構成される燃料電池で駆動するカメラにおいて、前記燃料ユニットと前記発電ユニットを共に収納する燃料電池収納部と、前記発電ユニットの出力特性を判別する発電ユニット判別手段とを備えることを特徴とする。
【手続補正３】
【補正対象書類名】明細書
【補正対象項目名】００１９
【補正方法】変更
【補正の内容】
【００１９】
また、請求項１０に記載のカメラによれば、前記動作変更手段は前記発電ユニット判別手段によって判別された前記発電ユニットの電圧が所定値未満であるときに、省電力モードにすることを特徴とする。
【手続補正４】
【補正対象書類名】明細書
【補正対象項目名】００２９
【補正方法】変更
【補正の内容】
【００２９】
４００はバッテリーパックとなる縦位置グリップであり、着脱機構４０１によってカメラに着脱可能に取り付けられている。カメラ２００と縦位置グリップ４００とは公知のネジ機構で接続されており、着脱機構４０１を回転させると、接続しているネジがしまったり、はずれたりする構成となっている。着脱縦位置グリップ４００の側面に開閉ドア４０２が備えられている。開閉ドア４０２は縦位置グリップにヒンジ機構を介して取り付けられることによって開閉可能な構成になっている。開閉ドア４０２を開けると発電ユニット３００と燃料ユニット３０１を収納するための電池室４０３が備えられている。電池室４０３の開口部近傍には発電ユニット３００と燃料ユニット３０１収納時に発電ユニット３００と燃料ユニット３０１を係止するための係止機構４０４が備えられている。この係止機構４０４は、例えばモールド係止爪で構成されている。なお、縦位置グリップ４００の側面には縦位置グリップ側通気孔４０５が備えられている。これは後述する発電ユニット３００を収納した時に通気孔３０２と対向するように配置されており、発電ユニット３００が発電の際に必要とする酸素を取り込み、また、発電の際に発生する水蒸気を外部に放出する際に使用される。
【手続補正５】
【補正対象書類名】明細書
【補正対象項目名】００３３
【補正方法】変更
【補正の内容】
【００３３】
図２は本実施例を示すブロック図である。図２を用いて本実施例の電気的構成を説明する。なお、図中の黒矢印は信号、白矢印は電力の伝達を表している。図２に示すように、撮影レンズユニット１００は不図示のマウント機構を介してカメラ２００に着脱可能に取り付けられる。マウント部には、電気的接点群１０３を有し、カメラ２００と撮影レンズユニット１００の間で通信を行い撮影レンズユニット１０１・絞り１０２の駆動を行う。
【手続補正６】
【補正対象書類名】明細書
【補正対象項目名】００３６
【補正方法】変更
【補正の内容】
【００３６】
カメラ２００には縦位置グリップ４００が前述の着脱機構４０１によって取り付けられている。縦位置グリップ４００内には発電ユニット３００と燃料ユニット３０１が収納されている。縦位置グリップ４００は電気的接点群４０６を有し、カメラ２００と縦位置グリップ４００との間で通信と電力供給とが可能な構成となっている。発電ユニット３００は電気接点３０３と信号接点３０４を有し、発電ユニット３００と縦位置グリップ４００の間で通信と電力供給が可能な構成となっている。発電ユニット３００は燃料ユニット３０１と着脱可能に連結されおり、燃料ユニット３０１から水素の供給をうけて発電する構成となっている。
【手続補正７】
【補正対象書類名】明細書
【補正対象項目名】００３８
【補正方法】変更
【補正の内容】
【００３８】
前述のフォーカルプレーンシャッタ２０７の先幕２０７ａ及び後幕２０７ｂの走行は、バネによるものであり、走行完了後、次の走行を可能とするためにバネチャージを要する。シャッターチャージ駆動機構２１１は、このバネチャージを駆動させるようになっている。また、撮影時にはレリーズＳＷ２０２のレリーズ信号に応じて被写体光束の光路から待避して露光を開始させる先幕２０７ａとファインダ観察時には被写体光束から待避しているとともに、撮像時には先幕２０７ａの走行開始後所定のタイミングで被写体光束を遮光する後幕２０７ｂを有するフォーカルプレーンシャッタ２０７である。フォーカルプレーンシャッタ２０７はシステムコントローラ２１０の指令を受けたシャッター制御回路２１２によって制御される。また、シャッターチャージ駆動機構２１１はＤＣＤＣ回路２１３を介して、発電ユニット３００で発電された電力を受取り駆動する。なお、シャッターチャージに要する時間はＤＣＤＣ回路２１３から供給される電圧によって左右される。
【手続補正８】
【補正対象書類名】明細書
【補正対象項目名】００３９
【補正方法】変更
【補正の内容】
【００３９】
また、前述のクイックリターンミラー２０４とサブミラー２３０のアップダウン駆動は、バネによるものであり、ミラーダウン完了後、次の駆動を可能とするためのバネチャージを要する。ミラー駆動機構２１５は、このバネチャージを駆動させるようになっている。また、クイックターンミラー２０４とサブミラー２３０は撮影時にレリーズＳＷ２０２のレリーズ信号に応じてアップ駆動を行い、後幕２０７ｂ走行完了後に所定のタイミングでダウン駆動を行う。また、ミラーの駆動はシステムコントローラ２１０の指令を受けたミラー制御回路２１４によって制御される。ミラー駆動機構２１５はＤＣＤＣ回路２１３から電力を受取り駆動する。アップダウン駆動に要する時間はＤＣＤＣ回路２１３から供給される電圧によって左右される。
【手続補正９】
【補正対象書類名】明細書
【補正対象項目名】００４９
【補正方法】変更
【補正の内容】
【００４９】
次に発電ユニット３００内部の説明をする。発電を行うセル部３０６は燃料極３０６ａと固体高分子膜３０６ｂと酸素極３０６ｃと触媒からなるセルの一つ以上からからなっている。セル同士は電気的に直列に繋がれている。また、セル部３０６に燃料となる水素を燃料ユニット３０１から供給するための配管３０７ａが備えられている。この配管３０７ａには水素の漏えいを防止する接続弁機構３１０が備えられている。接続弁機構３１０は、特許文献１に記載された公知の接続弁機構にて構成されている。また、セル部３０６の燃料極３０６ａ、酸素極３０６ｃは基板３１１に接続されている。燃料極３０６ａと酸素極３０６ｃとの電位差で発生する電気は基板３１１に取り付けられた電気接点３０３から取り出せる構成となっている。また、基板３１１には発電ユニット３００の出力特性（発電電圧、電流、内部抵抗等）の情報を所持するためのメモリ３０５が実装されている。このメモリ３０５が所持する出力特性の情報は信号接点３０４を介して縦位置グリップ４００やカメラ本体２００等の外部機器に伝えられる構成となっている。なお、充電の際に、電気分解用の水を介して、発電ユニット３００の電極が導通してしまわないように、各電極の水が触れる部分は絶縁されている。絶縁の方法には、電極の固体高分子膜と接しない部分を絶縁体で被膜する方法がある。
【手続補正１０】
【補正対象書類名】明細書
【補正対象項目名】００５１
【補正方法】変更
【補正の内容】
【００５１】
次に燃料ユニット３０１の内部の説明をする。燃料ユニット３０１の内部は水素吸蔵合金から放出された水素で満たされている。この水素を発電ユニット側へ供給するために、水素経路として配管挿入部３０７ｂが備えられている。また、この配管挿入部３０７ｂには、発電ユニット３００との接続時に水素の漏えいを防止する接続弁機構３０８が備えられている。接続弁機構３０８は、特許文献１に記載された公知の接続弁機構にて構成されている。
【手続補正１１】
【補正対象書類名】明細書
【補正対象項目名】００５３
【補正方法】変更
【補正の内容】
【００５３】
例えば、単位セルの大きさが、１．２ｃｍ×２ｃｍ程度であれば、セル部３０６の起電力約０．８Ｖ、電流密度約３００ｍＡ／ｃｍ２である。この燃料電池セルを８枚直列につなぐと、電池全体の出力は約６．４Ｖ、７２０ｍＡで約４．６Ｗとなる。セルの積層枚数を多くの枚数にし、直列に接続することで、高電圧化を図ることができる。また、セルの面積を広くすることで、発電時の電流を大きくすることができる。
【手続補正１２】
【補正対象書類名】明細書
【補正対象項目名】００５８
【補正方法】変更
【補正の内容】
【００５８】
図６は本実施例における発電ユニット判別を示したフローチャートである。図６を用いて本実施例の発電ユニット判別方法を説明する。ステップＳ１００においてカメラ２００のメインスイッチがオンされるとステップＳ１０１に進み、システムコントローラ２１０は、発電ユニット３００の電圧情報読取りを行う。発電ユニット３００の電圧値情報読取りは発電ユニット３００のメモリ３０５が縦位置グリップ電気接点群４０６と発電ユニット信号接点３０４を介してシステムコントローラ２１０へ電気的信号を送ることで行われる。ステップＳ１０１において電圧値情報が読取られると、ステップＳ１０２において、読取った電圧値の判定を行う。読取った電圧値が所定値Ｘ以上であると判断された場合は、ステップＳ１０３に進み、高速の連写駆動するよう、カメラ動作を設定する。ここで所定値Ｘとはカメラ２００が高速連写の駆動が十分行える電圧値である。カメラ動作の設定はシステムコントローラ２１０がシャッターチャージミラー駆動機構２１１とシャッター制御回路２１２に電気的信号を送り、チャージスピードを高速に設定することにより行われる。ステップＳ１０３で高速連写が設定されるとステップＳ１０４にて高速連写モードに入ったことを表示する。これはシステムコントローラ２１０が表示回路２２６を介して不図示の表示装置に電気的信号を送り、高速連写モードに入ったことを表示してユーザに知らせる。ステップＳ１０４にて高速連写モードに入ったことが表示され、Ｓ１０５にてレリーズＳＷ２０２がオンされるとＳ１０６に進み、公知の撮影シーケンスに入る。
【手続補正１３】
【補正対象書類名】明細書
【補正対象項目名】００６０
【補正方法】変更
【補正の内容】
【００６０】
一方、ステップＳ１１１において読取った電圧値が所定値Ｙ未満と判断されるとＳ１２１にて読取った電圧値が所定値Ｚ以上であるか判断される。ステップＳ１２１において電圧値が所定値Ｚ以上であると判断された場合は、ステップＳ１２２に進み、省電力モード駆動するよう、カメラ動作を設定する。ここで所定値Ｚとはカメラが省電力モードで十分に駆動できる電圧値である。カメラ動作の設定はシステムコントローラ２１０がシャッターチャージ駆動機構２１１とシャッター制御回路２１２に電気的信号を送り、チャージスピードを低速にする。また、システムコントローラ２１０自身も消費電力を下げるためにＣＭＯＳセンサ２０９の読取り速度を下げることでクロック数を落とす。ステップＳ１２２で省電力モードが設定されるとステップＳ１２３にて省電力モードに入ったことを表示する。これはシステムコントローラ２１０が表示回路２２６を介して不図示の表示装置に電気的信号を送り、省電力モードに入ったことを表示してユーザに知らせる。ステップＳ１２３にて省電力モードに入ったことが表示され、Ｓ１０５にてレリーズＳＷ２０２がオンされるとＳ１０６に進み、公知の撮影シーケンスに入る。